(57)【要約】【課題】輝度ムラを抑制した表示切替装置を提供する。【解決手段】表示切替装置１は、基体１３上に形成され、第１の光１１０及び第２の光１２０を遮蔽し、開口１４０を有する遮蔽部１４と、遮蔽部１４の開口１４０に形成され、第２の光１２０を遮ると共に第１の光１１０を透過させる第１の透過部１５と、第１の透過部１５と離れるように開口１４０に形成され、第１の光１１０を遮ると共に第２の光１２０を透過させる第２の透過部１６と、第１の透過部１５と第２の透過部１６との間に設けられ、第１の透過部１５の第１の透過率と第２の透過部１６の第２の透過率とに基づいた第３の透過率を有し、第１の光１１０及び第２の光１２０を透過させる第３の透過部としての輝度調整部１７と、を備えて概略構成されている。【選択図】図１
2014056083.tif 000002
【特許請求の範囲】
【請求項１】
第１の光を発光する第１の光源と、
前記第１の光と波長が異なる第２の光を発光する第２の光源部と、
前記第１の光及び前記第２の光を透過させる基体と、
前記基体上に形成され、前記第１の光及び前記第２の光を遮蔽し、開口を有する遮蔽部と、
前記遮蔽部の前記開口に形成され、前記第２の光を遮ると共に前記第１の光を透過させる第１の透過部と、
前記第１の透過部と離れるように前記開口に形成され、前記第１の光を遮ると共に前記第２の光を透過させる第２の透過部と、
前記第１の透過部と前記第２の透過部との間に設けられ、前記第１の透過部の第１の透過率と前記第２の透過部の第２の透過率とに基づいた第３の透過率を有し、前記第１の光及び前記第２の光を透過させる第３の透過部と、
を備えた表示切替装置。
【請求項２】
前記第３の透過部は、
前記第１の透過部及び前記第２の透過部と距離をあけて形成された第１のパターン部と、
前記第１のパターン部と前記第１の透過部との間で、一部が少なくとも前記第１のパターン部及び前記第１の透過部の何れかの上に形成され、また前記第１のパターン部と前記第２の透過部との間で、一部が少なくとも前記第１のパターン部と前記第２の透過部の何れかの上に形成され、予め定められたパターンに応じて形成された第２のパターン部と、
を有する請求項１に記載の表示切替装置。
【請求項３】
前記第２のパターン部の前記予め定められたパターンは、ドットパターンである請求項１又は２に記載の表示切替装置。
【請求項４】
さらに、前記第３の透過部上に設けられ、前記第１の透過率乃至前記第３の透過率に基づいた第４の透過率を有し、前記第１の光及び前記第２の光を透過させる第４の透過部を備えた請求項１に記載の表示切替装置。
【請求項５】
第１の光を発光する第１の光源と、
前記第１の光と波長が異なる第２の光を発光する第２の光源部と、
前記第１の光及び前記第２の光を透過させる基体と、
前記基体上に形成され、前記第１の光及び前記第２の光を遮蔽し、開口を有する遮蔽部と、
前記遮蔽部の前記開口に形成され、前記第２の光を遮ると共に前記第１の光を透過させる第１の透過部と、
前記第１の透過部と離れるように前記開口に形成され、前記第１の光を遮ると共に前記第２の光を透過させる第２の透過部と、
前記第１の透過部と前記第２の透過部との間に設けられ、第３の透過率を有し、前記第１の光及び前記第２の光を透過させる第３の透過部と、
前記第３の透過部上に設けられ、前記第１の透過率乃至前記第３の透過率に基づいた第４の透過率を有し、前記第１の光及び前記第２の光を透過させる第４の透過部と、
を備えた表示切替装置。
【発明の詳細な説明】
【技術分野】
【０００１】
本発明は、表示切替装置に関する。
【背景技術】
【０００２】
従来の技術として、シートに施された、第１光源の波長のみを透過させる第１印刷部分と、シートに施された、第２光源の波長のみを透過させる第２印刷部分と、シートに施された、第１光源の波長と第２光源の波長を透過させない第３印刷部分と、第１表示と第２表示の重複する部分に重なる部分で、通過する光量を抑制する調光面部と、を備えた可変表示構造が知られている（例えば、特許文献１参照。）。
【０００３】
この可変表示構造は、光源を切り替えることで、第１表示と第２表示とを切り替えて表示することができる。
【先行技術文献】
【特許文献】
【０００４】
【特許文献１】特開２００５−２４１７５９号公報
【発明の概要】
【発明が解決しようとする課題】
【０００５】
しかし、従来の可変表示構造は、第１印刷部分及び第２印刷部分と、第１印刷部分と調光面部、及び第２印刷部分と調光面部、が重なる部分と、の光の透過率が異なるので、この重なる部分が、重ならない部分よりも暗くなり、輝度ムラが発生するという問題がある。
【０００６】
従って、本発明の目的は、輝度ムラを抑制した表示切替装置を提供することにある。
【課題を解決するための手段】
【０００７】
本発明の一態様は、第１の光を発光する第１の光源と、第１の光と波長が異なる第２の光を発光する第２の光源部と、第１の光及び第２の光を透過させる基体と、基体上に形成され、第１の光及び第２の光を遮蔽し、開口を有する遮蔽部と、遮蔽部の開口に形成され、第２の光を遮ると共に第１の光を透過させる第１の透過部と、第１の透過部と離れるように開口に形成され、第１の光を遮ると共に第２の光を透過させる第２の透過部と、第１の透過部と第２の透過部との間に設けられ、第１の透過部の第１の透過率と第２の透過部の第２の透過率とに基づいた第３の透過率を有し、第１の光及び第２の光を透過させる第３の透過部と、を備えた表示切替装置を提供する。
【発明の効果】
【０００８】
本発明によれば、輝度ムラを抑制することができる。
【図面の簡単な説明】
【０００９】
【図１】図１（ａ）は、第１の実施の形態に係る表示切替装置の概略図であり、（ｂ）は、図１（ａ）のI（ｂ）-I（ｂ）線で切断した断面を矢印方向から見た断面図である。
【図２】図２（ａ）は、第２の実施の形態に係る表示切替装置の概略図であり、（ｂ）は、図２（ａ）のII（ｂ）-II（ｂ）線で切断した断面を矢印方向から見た断面図である。
【図３】図３（ａ）は、第２の実施の形態に係る表示切替装置の輝度調整部付近の模式図であり、（ｂ）は、輝度調整部の変形例の模式図である。
【図４】図４（ａ）は、第３の実施の形態に係る表示切替装置の概略図であり、（ｂ）は、図４（ａ）のIV（ｂ）-IV（ｂ）線で切断した断面を矢印方向から見た断面図である。
【発明を実施するための形態】
【００１０】
（実施の形態の要約）
実施の形態に係る表示切替装置は、第１の光を発光する第１の光源と、第１の光と波長が異なる第２の光を発光する第２の光源部と、第１の光及び第２の光を透過させる基体と、基体上に形成され、第１の光及び第２の光を遮蔽し、開口を有する遮蔽部と、遮蔽部の開口に形成され、第２の光を遮ると共に第１の光を透過させる第１の透過部と、第１の透過部と離れるように開口に形成され、第１の光を遮ると共に第２の光を透過させる第２の透過部と、第１の透過部と第２の透過部との間に設けられ、第１の透過部の第１の透過率と第２の透過部の第２の透過率とに基づいた第３の透過率を有し、第１の光及び第２の光を透過させる第３の透過部と、を備える。
【００１１】
この表示切替装置は、第３の透過部の第３の透過率が、第１の透過部の第１の透過率と第２の透過部の第２の透過率とに基づいているので、第３の透過部を形成しない場合と比べて、第１の透過部を透過した光と、第２の透過部を透過した光と、第３の透過部を透過した光と、の透過率の差が小さくなり、輝度ムラが抑制される。
【００１２】
［第１の実施の形態］
図１（ａ）は、第１の実施の形態に係る表示切替装置の概略図であり、（ｂ）は、図１（ａ）のI（ｂ）-I（ｂ）線で切断した断面を矢印方向から見た断面図である。なお、実施の形態に係る各図において、描かれた画像と画像との比率は、実際の比率とは異なる場合がある。
【００１３】
この表示切替装置１は、図１（ａ）の紙面において、右肩上がりの第１の斜線で示された第１の表示３と、左肩上がりの第２の斜線で示された第２の表示４と、を切り替えるものである。表示切替装置１は、光源からの光がない場合は、表面に形成されたスモークグレー印刷部２２によって第１の表示３及び第２の表示４が見えないように構成されている。なお第１の斜線と第２の斜線とが交わる共通領域５は、第１の表示３及び第２の表示４に含まれている。つまり、第１の表示３は、第１の透過部１５と共通領域５とが第１の光源１１によって照明されることで現れるものであり、第２の表示４は、第２の透過部１６と共通領域５とが第２の光源１２によって照明されることで現れるものである。
【００１４】
表示切替装置１は、第１の光１１０を発光する第１の光源１１と、第１の光１１０と波長が異なる第２の光１２０を発光する第２の光源１２と、第１の光１１０及び第２の光１２０を透過させる基体１３と、基体１３上に形成され、第１の光１１０及び第２の光１２０を遮蔽し、開口１４０を有する遮蔽部１４と、を備えて概略構成されている。
【００１５】
また表示切替装置１は、遮蔽部１４の開口１４０に形成され、第２の光１２０を遮ると共に第１の光１１０を透過させる第１の透過部１５と、第１の透過部１５と離れるように開口１４０に形成され、第１の光１１０を遮ると共に第２の光１２０を透過させる第２の透過部１６と、を備えて概略構成されている。
【００１６】
さらに表示切替装置１は、第１の透過部１５と第２の透過部１６との間に設けられ、第１の透過部１５の第１の透過率と第２の透過部１６の第２の透過率とに基づいた第３の透過率を有し、第１の光１１０及び第２の光１２０を透過させる第３の透過部としての輝度調整部１７を備えて概略構成されている。
【００１７】
この表示切替装置１は、図１（ａ）に示すように、第１の透過部１５及び輝度調整部１７を透過する第１の光１１０により第１の表示３が形成され、第２の透過部１６及び輝度調整部１７を透過する第２の光１２０により第２の表示４が形成されている。
【００１８】
（第１の光源１１及び第２の光源１２の構成）
第１の光源１１及び第２の光源１２は、例えば、プリント配線基板である基板１０に配置された発光ダイオード（ＬＥＤ：Light Emitting Diode）である。第１の光源１１は、一例として、中心波長が４５０ｎｍの青色光を発光するように構成されている。また第２の光源１２は、一例として、第１の光源１１の中心波長とは異なる６５０ｎｍを中心波長とする赤色光を発光するように構成されている。この中心波長とは、例えば、スペクトルの中心の波長である。本実施の形態では、光源として発光ダイオードを使用しているので、中心波長において最も強度が大きくなっている。なお第１の光１１０及び第２の光１２０の波長は、上記に限定されず、任意に選択可能である。
【００１９】
（基体１３の構成）
基体１３は、例えば、透過性の高い光学ガラス、ポリカーボネート及びアクリル等を用いて板形状に形成される。図１（ａ）に示すように、この基体１３の表面１３０側には、スモークグレー印刷部２２が形成されている。また基体１３の裏面１３１側には、遮蔽部１４、第１の透過部１５、第２の透過部１６及び輝度調整部１７が形成されている。
【００２０】
基体１３の表面１３０に形成されたスモークグレー印刷部２２は、光の波長によらず光量を低減するスモークグレーフィルタである。第１の光源１１及び第２の光源１２が消灯しているときに、外光によって第１の表示３及び第２の表示４が見えないようにするために、基体１３の表面１３０に設けられている。
【００２１】
（遮蔽部１４の構成）
遮蔽部１４は、例えば、蒸着及び印刷等の方法を用いて形成される。本実施の形態では、遮蔽部１４は、シルクスクリーン印刷により基体１３の裏面１３１側に形成される。
【００２２】
この遮蔽部１４は、第１の光源１１及び第２の光源１２の光を透過しない、つまり、それらを遮蔽するように構成されている。この遮蔽部１４は、第１の表示３及び第２の表示４に基づいた形状を有する開口１４０が形成されている。つまり開口１４０は、図１（ａ）に示すように、逆向きの矢印を繋げたような形状を有している。
【００２３】
（第１の透過部１５及び第２の透過部１６の構成）
第１の透過部１５及び第２の透過部１６は、例えば、蒸着及び印刷等の方法を用いて形成される。本実施の形態では、第１の透過部１５及び第２の透過部１６は、シルクスクリーン印刷により基体１３の裏面１３１側に形成される。
【００２４】
第１の透過部１５は、第１の光源１１の第１の光１１０を透過し、第２の光源１２の第２の光１２０を遮蔽するように構成されている。つまり、第１の透過部１５は、第１の光源１１の中心波長近傍の光のみを透過させるように構成されている。
【００２５】
また第２の透過部１６は、第２の光源１２の第２の光１２０を透過し、第１の光源１１の第１の光１１０を遮蔽するように構成されている。つまり、第２の透過部１６は、第２の光源１２の中心波長近傍の光のみを透過させるように構成されている。
【００２６】
ここで、中心波長近傍の光とは、例えば、第１の光源１１の第１の光１１０のスペクトルと第２の光源１２の第２の光１２０のスペクトルとが交わる領域の光よりも中心波長よりの光のことを示している。つまり、当該交わる領域の光を透過させる透過部の場合、例えば、第１の光源１１を点灯し、第２の光源１２を消灯したとしても第２の透過部１６から第１の光源１１からの第１の光１１０が透過してしまい、第１の表示３だけでなく第２の表示４も照明されて見えてしまう。従って第１の透過部１５及び第２の透過部１６は、第１の光源１１の第１の光１１０のスペクトルと、第２の光源１２の第２の光１２０のスペクトルと、が交わる領域の光を透過させないように構成される。
【００２７】
第１の透過部１５及び第２の透過部１６は、図１（ｂ）に示すように、一部が遮蔽部１４上にも形成される。これは、印刷ずれによる遮蔽部１４との隙間の発生を防止するためである。
【００２８】
第１の透過部１５は、図１（ａ）に示すように、主に、第１の表示３の共通領域５を除いた部分に形成される。また第２の透過部１６は、図１（ａ）に示すように、主に、第２の表示４の共通領域５を除いた部分に形成される。
【００２９】
この共通領域５とは、図１（ａ）及び（ｂ）に示すように、第１の表示３及び第２の表示４の矢印図形の直線部分の端部に相当し、第１の光源１１の第１の光１１０、及び第２の光源１２の第２の光１２０のいずれの光も透過させる領域である。
【００３０】
（輝度調整部１７の構成）
輝度調整部１７は、図１（ｂ）に示すように、第１の透過部１５と第２の透過部１６の間に形成されている。輝度調整部１７は、例えば、蒸着及び印刷等の方法を用いて形成される。本実施の形態では、輝度調整部１７は、シルクスクリーン印刷により基体１３の裏面１３１側に形成される。また輝度調整部１７は、一例として、白色のインクにより形成される。この輝度調整部１７は、共通領域５を介して出射する光の輝度を調整し、第１の透過部１５と輝度調整部１７、及び第２の透過部１６と輝度調整部１７との輝度差を小さく抑えて、第１の表示３及び第２の表示４における輝度ムラを抑制するものである。
【００３１】
ここで第１の透過部１５と第２の透過部１６との間の共通領域５は、第１の光１１０及び第２の光１２０を透過させれば良いので、輝度調整部１７を形成しなくても第１の表示３及び第２の表示４を切り替えることができる。しかし、一例として、第１の透過部１５の第１の光１１０の第１の透過率が８５％、第２の透過部１６の第２の光１２０の第２の透過率が８５％、スモークグレー印刷部２２の透過率が２０％であった場合、共通領域５では２０％の光が透過するので、第１の透過部１５及び第２の透過部１６を通過する光と共通領域５を通過する光とでは、輝度差（透過率の差）が３％（＝（０．２０−０．８５×０．２０）×１００）となり、矢印の先端部分と共通領域５の部分で輝度差が目立ってしまい見栄えが悪くなる。
【００３２】
そこで、本実施の形態では、第１の透過部１５と第２の透過部１６の間に、輝度調整部１７を形成して輝度差を抑制する構成としている。この輝度調整部１７の第３の透過率は、第１の透過部１５の第１の透過率と第２の透過部１６の第２の透過率とに基づいて決定される。上記の例では、第１の透過率及び第２の透過率が８５％であるので、第３の透過率は、８５％であることが好ましい。第３の透過率が８５％であれば、第１の透過部１５、第２の透過部１６及び輝度調整部１７を透過した光の透過率が等しくなるので、輝度差が生じない。
【００３３】
以下に、第１の実施の形態に係る表示切替装置１の表示の切り替えについて説明する。以下では、まず、図１（ａ）に示す左側の第１の表示３を照明する場合について説明する。
【００３４】
（表示の切り替えについて）
表示切替装置１は、第１の光源１１を点灯させ、第２の光源１２を消灯する。この制御は、表示切替装置１が制御部を有し、当該制御部により行われても良いし、外部装置による制御によって実行されても良い。
【００３５】
第１の光源１１から出射した第１の光１１０は第２の透過部１６を透過せず、第１の透過部１５及び輝度調整部１７を透過する。
【００３６】
第１の透過部１５を透過した第１の光１１０、及び輝度調整部１７を透過した第１の光１１０は、基体１３及びスモークグレー印刷部２２を介して出射する。従って、第１の表示３は、第１の透過部１５を透過した第１の光１１０と、輝度調整部１７を透過した第１の光１１０により照明され、利用者が視認することが可能となる。
【００３７】
続いて、以下では、図１（ａ）に示す右側の第２の表示４を照明する場合について説明する。
【００３８】
表示切替装置１は、第１の光源１１を消灯させ、第２の光源１２を点灯する。
【００３９】
第２の光源１２から出射した第２の光１２０は第１の透過部１５を透過せず、第２の透過部１６及び輝度調整部１７を透過する。
【００４０】
第２の透過部１６を透過した第２の光１２０、及び輝度調整部１７を透過した第２の光１２０は、基体１３及びスモークグレー印刷部２２を介して出射する。従って、第２の表示４は、第２の透過部１６を透過した第２の光１２０と、輝度調整部１７を透過した第２の光１２０により照明され、利用者が視認することが可能となる。
【００４１】
（第１の実施の形態の効果）
本実施の形態に係る表示切替装置１は、輝度ムラを抑制することができる。具体的には、表示切替装置１は、輝度調整部１７の第３の透過率が、第１の透過部１５の第１の透過率と第２の透過部１６の第２の透過率とに基づいているので、輝度調整部１７を形成しない場合と比べて、第１の透過部を透過した光と、第２の透過部を透過した光と、第３の透過部を透過した光と、の透過率の差が小さくなり、輝度ムラが抑制される。
【００４２】
またこの表示切替装置１は、輝度調整部１７が、第１の透過部１５及び第２の透過部１６と同じ基体１３の裏面１３１側に形成されるので、基体１３の表面１３０側等に形成される場合と比べて、輝度調整部１７を形成する精度が高い。
【００４３】
[第２の実施の形態]
（表示切替装置１の構成）
図２（ａ）は、第２の実施の形態に係る表示切替装置の概略図であり、（ｂ）は、図２（ａ）のII（ｂ）-II（ｂ）線で切断した断面を矢印方向から見た断面図である。
【００４４】
第２の実施の形態は、輝度調整部１７がパターンを有する点で第１の実施の形態と異なっている。なお、以下の各実施の形態において、第１の実施の形態と同じ機能及び構成を有する部分においては、第１の実施の形態と同じ符号を付し、その説明は省略するものとする。
【００４５】
本実施の形態に係る表示切替装置１の輝度調整部１７は、図２（ｂ）に示すように、第１の透過部１５と第２の透過部１６との間で、かつ第１の透過部１５及び第２の透過部１６と距離をあけて形成された第１のパターン部１８と、第１のパターン部１８と第１の透過部１５との間で、一部が少なくとも第１のパターン部１８及び第１の透過部１５の何れかの上に形成され、また第１のパターン部１８と第２の透過部１６との間で、一部が少なくとも第１のパターン部１８と第２の透過部１６の何れかの上に形成され、予め定められたパターンに応じて形成された第２のパターン部１９と、を備えて概略構成されている。
【００４６】
この表示切替装置１は、図２（ａ）に示すように、第１の透過部１５及び輝度調整部１７を透過する第１の光１１０により第１の表示３が形成され、第２の透過部１６及び輝度調整部１７を透過する第２の光１２０により第２の表示４が形成されている。
【００４７】
（輝度調整部１７の構成）
図３（ａ）は、第２の実施の形態に係る表示切替装置の輝度調整部付近の模式図であり、（ｂ）は、輝度調整部の変形例の模式図である。
【００４８】
輝度調整部１７は、図２（ｂ）及び図３（ａ）に示すように、第１のパターン部１８と、第２のパターン部１９と、を有して概略構成されている。輝度調整部１７は、例えば、蒸着及び印刷等の方法を用いて形成される。本実施の形態では、輝度調整部１７は、例えば、シルクスクリーン印刷により基体１３の裏面１３１側に形成される。また輝度調整部１７は、一例として、白色のインクにより形成される。この輝度調整部１７は、形成の際のずれを考慮したパターンを共通領域５に形成することにより、共通領域５を介して出射する光の輝度を調整し、第１の透過部１５と輝度調整部１７、及び第２の透過部１６と輝度調整部１７との輝度差を小さく抑えて、第１の表示３及び第２の表示４における輝度ムラを抑制するものである。
【００４９】
第１のパターン部１８は、第１の透過部１５と第２の透過部１６との間で、かつ第１の透過部１５及び第２の透過部１６と距離をあけて形成されている。つまり第１のパターン部１８は、形成の際のずれ（印刷ずれ）が発生しても第１の透過部１５及び第２の透過部１６に重ならないように形成される。
【００５０】
図３（ａ）に示す第１の透過部１５と第１のパターン部１８との間隔Ｌは、例えば、上述のように、印刷ずれが発生しても第１のパターン部１８が、第１の透過部１５又は第２の透過部１６と重ならない間隔となるように設定される。本実施の形態では、この間隔Ｌは、一例として、０．３ｍｍである。なお第２の透過部１６と第１のパターン部１８との間隔Ｌは、一例として、第１の透過部１５と第１のパターン部１８との間隔Ｌと同じ値となるように設定される。
【００５１】
従って、第１のパターン部１８の幅ｈ１は、一例として、第１の透過部１５と第２の透過部１６との間の距離から、間隔Ｌの二倍の値を引き算することにより設定される。図２（ｂ）及び図３（ａ）に示すドット１９ａの直径は、一例として、０．１ｍｍである。
【００５２】
また第２のパターン部１９の幅ｈ２は、印刷ずれを考慮して設定される。本実施の形態の幅ｈ２は、一例として、０．６ｍｍである。
【００５３】
つまり、輝度調整部１７は、第１の透過部１５と第２の透過部１６との重なりを抑制しつつ第１の透過部１５と第２の透過部１６との間を埋めるパターンが形成される。図３（ａ）に示す輝度調整部１７のパターンは、円形のパターン（ドットパターン）であるが、これに限定されず任意のパターンで良い。なお輝度調整部１７のパターンは、印刷ずれが生じた場合、第１の透過部１５及び第２の透過部１６と重なり合う部分の面積が小さくなるパターンが好ましい。さらに、第２のパターン部１９は、ドット１９ａが形成されない部分が、直線状に長くつながらないように形成される。直線状に長く形成された場合、その部分が輝度ムラになるからである。
【００５４】
ここで第１の実施の形態において示したように、輝度調整部１７を形成しなくても第１の表示３及び第２の表示４を切り替えることができる。しかし、一例として、第１の透過部１５の第１の光１１０の透過率が８５％、第２の透過部１６の第２の光１２０の透過率が８５％、スモークグレー印刷部２２の透過率が２０％であった場合、輝度差が３％となり、矢印の先端部分と共通領域５の部分で輝度差が目立ってしまい見栄えが悪くなる。
【００５５】
また上記の輝度差を抑制するために、例えば、共通領域５に収まるように、かつ第１の透過部１５及び第２の透過部１６に重ならないように膜（透過率８５％）を形成した場合、印刷ずれのマージンが必要になるため、第１の透過部１５との間、及び第２の透過部１６との間、に隙間が生じ、隙間近傍では、上記と同様に３％の輝度差が生じる。
【００５６】
例えば、第１の透過部１５及び第２の透過部１６にも重なるように共通領域５を覆う膜（透過率８５％）を形成した場合、第１の透過部１５及び第２の透過部１６に重なった部分の透過率は、１４．４５％（＝（０．８５×０．８５×０．２０）×１００）となり、２．５５％の輝度差が生じることとなる。
【００５７】
本実施の形態では、輝度調整部１７のパターンを調整することにより、この輝度差を抑制することが可能である。具体的には、第１のパターン部１８の透過率は、第１の透過部１５及び第２の透過部１６の透過率と同じなので、第２のパターン部１９の透過率が、第１の透過部１５及び第２の透過部１６の透過率と同じになれば良い。
【００５８】
具体的には、第１の表示３の場合、第２のパターン部１９の透過率は、主に、第１の透過部１５とドット１９ａが重なる部分の透過率と、第１の透過部１５及び第１のパターン部１８が形成されない部分で、かつドット１９ａが形成されない部分、つまり基体１３が露出する部分の透過率と、により決定される。従って重なる部分と、ドット１９ａが形成されない部分と、を合わせた透過率が第１の透過部１５及び第１のパターン部１８の透過率と同じになれば、第１の透過部１５と輝度調整部１７との境界の輝度差が抑制される。従って、第２のパターン部１９におけるドット１９ａが重なる部分の面積比をａ、ドット１９ａが形成されない部分の面積比を（１−ａ）とすると、以下の式が成り立つ。なお以下の式では、第１の透過部１５及び第１のパターン部１８の透過率を１７％としている。
０．２ａ＋０．１４４５（１−ａ）＝０．１７・・・（１）
式（１）を解くと、ａ＝０．４５９４となり、重なる部分がおよそ４６％、ドット１９ａが形成されない部分がおよそ５４％となるパターンを第２のパターン部１９に形成することで、輝度差がなくなる。図２（ａ）に示すように、印刷ずれにより第２のパターン部１９が図２（ａ）の紙面の左右にずれたとしても、面積比は、ほぼ変わらないので、輝度差はほぼゼロとなる。
【００５９】
（第２のパターン部１９の変形例）
変形例として、第２のパターン部１９は、図３（ｂ）に示すように、例えば、離散的な直線状のパターン１９ｂが並ぶものであっても良い。このパターン１９ｂは、ドットパターンと同様に、印刷ずれを考慮して第１のパターン部１８、第１の透過部１５及び第２の透過部１６上にも形成される。
【００６０】
なお、第２のパターン部１９を形成するためのパターンは、上記の例に限定されず、第１のパターン部１８と第１の透過部１５との間で、一部が少なくとも第１のパターン部１８及び第１の透過部１５の何れかの上に形成され、また第１のパターン部１８と第２の透過部１６との間で、一部が少なくとも第１のパターン部１８と第２の透過部１６の何れかの上に形成可能な任意のパターンであれば良い。さらに第２のパターン部１９を形成するためのパターンは、形成されない部分が直線状に長く並ばないように形成されることが好ましい。
【００６１】
以下に、第２の実施の形態に係る表示切替装置１の表示の切り替えについて説明する。以下では、まず、図２（ａ）の左側の第１の表示３を照明する場合について説明する。
【００６２】
（表示の切り替えについて）
表示切替装置１は、第１の光源１１を点灯させ、第２の光源１２を消灯する。この制御は、表示切替装置１が制御部を有し、当該制御部により行われても良いし、外部装置による制御によって実行されても良い。
【００６３】
第１の光源１１から出射した第１の光１１０は第２の透過部１６を透過せず、第１の透過部１５及び輝度調整部１７を透過する。
【００６４】
第１の透過部１５を透過した第１の光１１０、及び輝度調整部１７を透過した第１の光１１０は、基体１３及びスモークグレー印刷部２２を介して出射する。従って、第１の表示３は、第１の透過部１５を透過した第１の光１１０と、輝度調整部１７を透過した第１の光１１０により照明され、利用者が視認することが可能となる。
【００６５】
続いて、以下では、図２（ａ）に示す右側の第２の表示４を照明する場合について説明する。
【００６６】
表示切替装置１は、第１の光源１１を消灯させ、第２の光源１２を点灯する。
【００６７】
第２の光源１２から出射した第２の光１２０は第１の透過部１５を透過せず、第２の透過部１６及び輝度調整部１７を透過する。
【００６８】
第２の透過部１６を透過した第２の光１２０、及び輝度調整部１７を透過した第２の光１２０は、基体１３及びスモークグレー印刷部２２を介して出射する。従って、第２の表示４は、第２の透過部１６を透過した第２の光１２０と、輝度調整部１７を透過した第２の光１２０により照明され、利用者が視認することが可能となる。
【００６９】
（第２の実施の形態の効果）
本実施の形態に係る表示切替装置１は、第１の透過部１５と第２の透過部１６との間に、形成に際して生じるずれを考慮したパターンを有する輝度調整部１７を備えているので、輝度ムラを抑制することができる。具体的には、表示切替装置１は、第１の透過部１５と第２の透過部１６との間の共通領域５に、第１の透過部１５及び第２の透過部１６に重なるが離散的であるドット１９ａによって第２のパターン部１９が形成されている。この第２のパターン部１９は、ドット１９ａにより、この領域の透過率を制御することができるので、輝度ムラを抑制することができる。
【００７０】
［第３の実施の形態］
第３の実施の形態は、輝度調整部１７上にさらに透過率を調整する調整部１７ａを形成する点で、上記の実施の形態と異なっている。
【００７１】
図４（ａ）は、第３の実施の形態に係る表示切替装置の概略図であり、（ｂ）は、図４（ａ）のIV（ｂ）-IV（ｂ）線で切断した断面を矢印方向から見た断面図である。
【００７２】
本実施の形態に係る表示切替装置１は、第１の光１１０を発光する第１の光源１１と、第１の光１１０と波長が異なる第２の光１２０を発光する第２の光源１２と、第１の光１１０及び第２の光１２０を透過させる基体１３と、基体１３上に形成され、第１の光１１０及び第２の光１２０を遮蔽し、開口１４０を有する遮蔽部１４と、を備えて概略構成されている。
【００７３】
また表示切替装置１は、遮蔽部１４の開口１４０に形成され、第２の光１２０を遮ると共に第１の光１１０を透過させる第１の透過部１５と、第１の透過部１５と離れるように開口１４０に形成され、第１の光１１０を遮ると共に第２の光１２０を透過させる第２の透過部１６と、を備えて概略構成されている。
【００７４】
さらに表示切替装置１は、第１の透過部１５と第２の透過部１６との間に設けられ、第３の透過率を有し、第１の光１１０及び第２の光１２０を透過させる第３の透過部としての輝度調整部１７を備えて概略構成されている。
【００７５】
またさらに表示切替装置１は、輝度調整部１７上に設けられ、第１の透過率乃至第３の透過率に基づいた第４の透過率を有し、第１の光１１０及び第２の光１２０を透過させる第４の透過部としての調整部１７ａを備えて概略構成されている。
【００７６】
この表示切替装置１は、図４（ａ）に示すように、第１の透過部１５、輝度調整部１７及び調整部１７ａを透過する第１の光１１０により第１の表示３が形成され、第２の透過部１６、輝度調整部１７及び調整部１７ａを透過する第２の光１２０により第２の表示４が形成されている。
【００７７】
（第１の光源１１及び第２の光源１２の構成）
第１の光源１１及び第２の光源１２は、例えば、プリント配線基板である基板１０に配置された発光ダイオード（ＬＥＤ：Light Emitting Diode）である。第１の光源１１は、一例として、中心波長が４５０ｎｍの青色光を発光するように構成されている。また第２の光源１２は、一例として、第１の光源１１の中心波長とは異なる６５０ｎｍを中心波長とする赤色光を発光するように構成されている。この中心波長とは、例えば、スペクトルの中心の波長である。本実施の形態では、光源として発光ダイオードを使用しているので、中心波長において最も強度が大きくなっている。なお第１の光１１０及び第２の光１２０の波長は、上記に限定されず、任意に選択可能である。
【００７８】
（基体１３の構成）
基体１３は、例えば、透過性の高い光学ガラス、ポリカーボネート及びアクリル等を用いて板形状に形成される。図４（ａ）に示すように、この基体１３の表面１３０側には、スモークグレー印刷部２２が形成されている。また基体１３の裏面１３１側には、遮蔽部１４、第１の透過部１５、第２の透過部１６及び輝度調整部１７が形成されている。
【００７９】
基体１３の表面１３０に形成されたスモークグレー印刷部２２は、光の波長によらず光量を低減するスモークグレーフィルタである。第１の光源１１及び第２の光源１２が消灯しているときに、外光によって第１の表示３及び第２の表示４が見えないようにするために、基体１３の表面１３０に設けられている。
【００８０】
（遮蔽部１４の構成）
遮蔽部１４は、例えば、蒸着及び印刷等の方法を用いて形成される。本実施の形態では、遮蔽部１４は、シルクスクリーン印刷により基体１３の裏面１３１側に形成される。
【００８１】
この遮蔽部１４は、第１の光源１１及び第２の光源１２の光を透過しない、つまり、それらを遮蔽するように構成されている。この遮蔽部１４は、第１の表示３及び第２の表示４に基づいた形状を有する開口１４０が形成されている。つまり開口１４０は、図４（ａ）に示すように、逆向きの矢印を繋げたような形状を有している。
【００８２】
（第１の透過部１５及び第２の透過部１６の構成）
第１の透過部１５及び第２の透過部１６は、例えば、蒸着及び印刷等の方法を用いて形成される。本実施の形態では、第１の透過部１５及び第２の透過部１６は、シルクスクリーン印刷により基体１３の裏面１３１側に形成される。
【００８３】
第１の透過部１５は、第１の光源１１の第１の光１１０を透過し、第２の光源１２の第２の光１２０を遮蔽するように構成されている。つまり、第１の透過部１５は、第１の光源１１の中心波長近傍の光のみを透過させるように構成されている。
【００８４】
また第２の透過部１６は、第２の光源１２の第２の光１２０を透過し、第１の光源１１の第１の光１１０を遮蔽するように構成されている。つまり、第２の透過部１６は、第２の光源１２の中心波長近傍の光のみを透過させるように構成されている。
【００８５】
ここで、中心波長近傍の光とは、例えば、第１の光源１１の第１の光１１０のスペクトルと第２の光源１２の第２の光１２０のスペクトルとが交わる領域の光よりも中心波長よりの光のことを示している。つまり、当該交わる領域の光を透過させる透過部の場合、例えば、第１の光源１１を点灯し、第２の光源１２を消灯したとしても第２の透過部１６から第１の光源１１からの第１の光１１０が透過してしまい、第１の表示３だけでなく第２の表示４も照明されて見えてしまう。従って第１の透過部１５及び第２の透過部１６は、第１の光源１１の第１の光１１０のスペクトルと、第２の光源１２の第２の光１２０のスペクトルと、が交わる領域の光を透過させないように構成される。
【００８６】
第１の透過部１５及び第２の透過部１６は、図４（ｂ）に示すように、一部が遮蔽部１４上にも形成される。これは、印刷ずれによる遮蔽部１４との隙間の発生を防止するためである。
【００８７】
第１の透過部１５は、図４（ａ）に示すように、主に、第１の表示３の共通領域５を除いた部分に形成される。また第２の透過部１６は、図４（ａ）に示すように、主に、第２の表示４の共通領域５を除いた部分に形成される。
【００８８】
この共通領域５とは、図４（ａ）及び（ｂ）に示すように、第１の表示３及び第２の表示４の矢印図形の直線部分の端部に相当し、第１の光源１１の第１の光１１０、及び第２の光源１２の第２の光１２０のいずれの光も透過させる領域である。
【００８９】
（輝度調整部１７の構成）
輝度調整部１７は、図４（ｂ）に示すように、第１の透過部１５と第２の透過部１６の間に形成されている。輝度調整部１７は、例えば、蒸着及び印刷等の方法を用いて形成される。本実施の形態では、輝度調整部１７は、シルクスクリーン印刷により基体１３の裏面１３１側に形成される。また輝度調整部１７は、一例として、白色のインクにより形成される。この輝度調整部１７は、共通領域５を介して出射する光の輝度を調整するものである。
【００９０】
輝度調整部１７は、図４（ｂ）に示すように、第１の透過部１５及び第２の透過部１６上にも形成される。これは、印刷ずれによる隙間の発生を抑制するためである。従って重なる部分は、印刷ずれを考慮して設定される。
【００９１】
（調整部１７ａの構成）
調整部１７ａは、輝度調整部１７上に形成される。調整部１７ａは、例えば、蒸着及び印刷等の方法を用いて形成される。本実施の形態では、調整部１７ａは、シルクスクリーン印刷により輝度調整部１７上に形成される。また調整部１７ａは、一例として、白色のインクにより形成される。
【００９２】
調整部１７ａは、第１の透過部１５と輝度調整部１７、及び第２の透過部１６と輝度調整部１７との輝度差を小さく抑えて、第１の表示３及び第２の表示４における輝度ムラを抑制するものである。
【００９３】
ここで第１の透過部１５と第２の透過部１６との間の共通領域５は、第１の光１１０及び第２の光１２０を透過させれば良いので、輝度調整部１７を形成しなくても第１の表示３及び第２の表示４を切り替えることができる。しかし、第１の実施の形態において示したように、この場合、第１の透過部１５及び第２の透過部１６を通過する光と共通領域５を通過する光とでは、輝度差が３％となり、矢印の先端部分と共通領域５の部分で輝度差が目立ってしまい見栄えが悪くなる。
【００９４】
そこで、本実施の形態では、第１の透過部１５と第２の透過部１６の間に、輝度調整部１７及び調整部１７ａを形成して輝度差を抑制する構成としている。具体的には、一例として、輝度調整部１７の第３の透過率が、９２％であり、調整部１７ａの第４の透過率が、９２％である場合、この両者を透過する光は、１６．９％ととなり、第１の透過部１５及び第２の透過部１６を透過する光の透過率とほぼ等しくなるので、輝度差がほとんど生じない。
【００９５】
また図４（ｂ）の紙面左から第１の透過部１５のみの第１の領域、第１の透過部１５と輝度調整部１７が重なる第２の領域、輝度調整部１７のみの第３の領域、輝度調整部１７と調整部１７ａが重なる第４の領域、輝度調整部１７のみの第５の領域、第２の透過部１６と輝度調整部１７が重なる第６の領域、及び第２の透過部１６のみの第７の領域とすると、その透過率は、一例として、上述の透過率を用いると次のように求められる。第１の領域の透過率は、１７％。第２の領域の透過率は、１５．６％。第３の領域の透過率は、１８．４％。第４の領域の透過率は、１６．９％。第５の領域の透過率は、１８．４％。第６の領域の透過率は、１５．６％。第７の領域の透過率は、１７％。
【００９６】
従って第１の表示３が表示されている場合、図４（ｂ）の紙面左から透過率が、１７％、１５．６％、１８．４％、１６．９％及び１８．４％となり、輝度差は±１．４％の範囲内となる。同様に、第２の表示４が表示されている場合、図４（ｂ）の紙面左から透過率が、１８．４％、１６．９％、１８．４％、１５．６％及び１７％となり、輝度差は±１．４％の範囲内となる。これは、第１の透過部１５と第２の透過部１６との間に輝度調整部１７及び調整部１７ａを形成しない場合と比べて、輝度差が小さくなっている。また、透過率が、高くなったり低くなったりするので、グラデーションとなり、輝度差が分かり難くなっている。
【００９７】
なお、上記の計算では、輝度調整部１７と調整部１７ａの透過率を同じ値としたが、これに限定されず、異なる値とすることで、輝度差の範囲をさらに狭くすることも可能である。
【００９８】
また、表示切替装置１は、調整部１７ａが輝度調整部１７と同じ程度の大きさで形成されるるとこで、上記の第３の領域と第５の領域をなくすことも可能である。
【００９９】
以下に、第１の実施の形態に係る表示切替装置１の表示の切り替えについて説明する。まず、以下では、図４（ａ）に示す左側の第１の表示３を照明する場合について説明する。
【０１００】
（表示の切り替えについて）
表示切替装置１は、第１の光源１１を点灯させ、第２の光源１２を消灯する。この制御は、表示切替装置１が制御部を有し、当該制御部により行われても良いし、外部装置による制御によって実行されても良い。
【０１０１】
第１の光源１１から出射した第１の光１１０は、第２の透過部１６を透過せず、図４（ａ）の紙面左側から第１の透過部１５のみの第１の領域、第１の透過部１５と輝度調整部１７が重なる第２の領域、輝度調整部１７のみの第３の領域、輝度調整部１７と調整部１７ａが重なる第４の領域、輝度調整部１７のみの第５の領域を透過する。
【０１０２】
この領域を透過した第１の光１１０は、基体１３及びスモークグレー印刷部２２を介して出射する。従って、第１の表示３は、第１の領域〜第５の領域を透過した第１の光１１０により照明され、利用者が視認することが可能となる。
【０１０３】
続いて、以下では、図４（ａ）に示す右側の第２の表示４を照明する場合について説明する。
【０１０４】
表示切替装置１は、第１の光源１１を消灯させ、第２の光源１２を点灯する。
【０１０５】
第２の光源１２から出射した第２の光１２０は、第１の透過部１５を透過せず、図４（ａ）の紙面左側から輝度調整部１７のみの第３の領域、輝度調整部１７と調整部１７ａが重なる第４の領域、輝度調整部１７のみの第５の領域、第２の透過部１５と輝度調整部１７が重なる第６の領域、及び第２の透過部１６のみの第７の領域を透過する。
【０１０６】
この領域を透過した第２の光１２０は、基体１３及びスモークグレー印刷部２２を介して出射する。従って、第２の表示４は、第３の領域〜第７の領域を透過した第２の光１２０により照明され、利用者が視認することが可能となる。
【０１０７】
（第３の実施の形態の効果）
本実施の形態に係る表示切替装置１は、輝度ムラを抑制することができる。具体的には、表示切替装置１は、輝度調整部１７及び調整部１７ａにより、第１の透過部１５及び第２の透過部１６の間を透過する光の透過率を第１の透過部１５の透過率、及び第２の透過部１６の透過率に近づけることができるので、輝度調整部１７を形成しない場合と比べて、第１の透過部を透過した光と、第２の透過部を透過した光と、第３の透過部を透過した光と、の透過率の差が小さくなり、輝度ムラが抑制される。
【０１０８】
また表示切替装置１は、調整部１７ａを形成することで、透過率の微調整が容易となる。
【０１０９】
なお、変形例として、調整部１７ａは、パターンであっても良い。
【０１１０】
また、上記の実施の形態に係る表示切替装置１は、２色による表示の切り替えであったが、これに限定されず、任意の数の色による表示の切り替えが可能である。
【０１１１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１１２】
１…表示切替装置
３…第１の表示
４…第２の表示
５…共通領域
１０…基板
１１…第１の光源
１２…第２の光源
１３…基体
１４…遮蔽部
１５…第１の透過部
１６…第２の透過部
１７…輝度調整部
１７ａ…調整部
１８…第１のパターン部
１９…第２のパターン部
１９ａ…ドット
１９ｂ…パターン
２２…スモークグレー印刷部
１１０…第１の光
１２０…第２の光
１３０…表面
１３１…裏面
１４０…開口
【図１】
2014056083.tif 000003
【図２】
2014056083.tif 000004
【図３】
2014056083.tif 000005
【図４】
2014056083.tif 000006